(57)【要約】【課題】入力映像信号の有無だけで記録すべきか否かを判定せず、記録可能な映像信号は所定の品質レベル以上であればすべて記録することのできる映像信号記録装置を提供することを目的とする。【解決手段】入力映像信号の録画中に、映像信号圧縮部１０１は入力された映像信号の信号が記録できるものか否かを判定し、判定結果データを制御部１０６に知らせ、制御部１０６は、判定結果データを利用し、記録できないと判定された場合には記録部１０２に録画停止を録画停止指令により指令する。【選択図】  図１
2004200753.tif 000002
【特許請求の範囲】
【請求項１】
入力映像信号を高能率符号化アルゴリズムを用いて圧縮する映像信号圧縮部と、前記映像信号圧縮部の出力を所定の記録メディアに記録する記録部と、前記記録メディアと、装置全体を制御する制御部を有した映像信号記録装置であって、前記入力映像信号の品質が所定の基準以下になり、前記映像信号圧縮部が圧縮の継続が不能になった場合に、それを前記制御部に知らせ、前記制御部が前記記録部に記録を停止する命令を出すことを特徴とする映像信号記録装置。
【請求項２】
入力映像信号を高能率符号化アルゴリズムを用いて圧縮する映像信号圧縮部と、前記映像信号圧縮部の出力を所定の記録メディアに記録する記録部と、前記記録メディアと、装置全体を制御する制御部を有した映像信号記録装置であって、前記映像信号圧縮部が、前記入力映像信号に含まれるフィールド同期信号またはライン同期信号の出現間隔を検出することにより入力映像信号の品質を判定し、前記品質が所定の基準以下になった場合にそれを前記制御部に知らせ、前記制御部が前記記録部に記録を停止する命令を出すことを特徴とする映像信号記録装置。
【請求項３】
映像信号圧縮部の有する前記所定の基準が、所定の時間フィールド同期信号が発生しない場合とする請求項２記載の映像信号記録装置。
【請求項４】
入力映像信号を高能率符号化アルゴリズムを用いて圧縮する映像信号圧縮部と、前記映像信号圧縮部の出力を所定の記録メディアに記録する記録部と、前記記録メディアと、装置全体を制御する制御部を有した映像信号記録装置であって、映像信号圧縮部が、入力映像信号に含まれる有効映像信号の信号レベルを検出することにより入力映像信号の品質を判定し、前記品質が所定の基準以下になった場合にそれを前記制御部に知らせ、前記制御部が前記記録部に記録を停止する命令を出すことを特徴とする映像信号記録装置。
【請求項５】
映像信号圧縮部が検出した信号レベルが、画面全体で同じレベルである状態が、所定の時間続いた場合に、品質が所定の基準以下になったとして、それを制御部に知らせることを特徴とする請求項４記載の映像信号記録装置。
【請求項６】
記録メディア内に記録されたデータを再生する再生部と、前記再生部の出力を前記高能率符号化アルゴリズムの復号化アルゴリズムを用いて伸長する映像信号伸長部をさらに有する請求項１乃至請求項５記載の映像信号記録装置。
【請求項７】
制御部が記録部に停止命令を出し記録を停止させた場合に、入力映像信号の品質が所定の基準に戻った時点で、映像信号圧縮部がそれを前記制御部に知らせ、前記制御部が前記記録部に記録停止の解除を命令し、記録部が記録を再開させることを特徴とする請求項１乃至請求項６記載の映像信号記録装置。
【請求項８】
入力映像信号を高能率符号化アルゴリズムを用いて圧縮する映像信号圧縮部と、前記映像信号圧縮部の出力を所定の記録メディアに記録する記録部と、前記記録メディアと、装置全体を制御する制御部を有した映像信号記録装置であって、前記入力映像信号の品質が所定の基準以下になり、前記映像信号圧縮部が圧縮の継続が不能になった場合に、それを前記制御部に知らせ、前記制御部が前記映像信号圧縮部に圧縮動作を停止する命令を出すことを特徴とする映像信号記録装置。
【請求項９】
映像信号圧縮部が入力映像信号が記録できるものか否かを判定するステップと、記録できないと判定された場合にそれを制御部に通知するステップと、前記制御部が前記映像信号圧縮部からの通知により記録部に記録停止を命令するステップと、前記記録部が前記制御部の命令により記録メディアへの記録を停止することを特徴とする映像信号記録方法。
【発明の詳細な説明】
【０００１】
【発明の属する技術分野】
本発明は、映像信号を所定の記録メディアに記録する映像信号記録装置および映像信号記録方法に関するものである。
【０００２】
【従来の技術】
従来、映像信号をディスク、テープやＨＤＤ等の所定の記録メディアに記録する映像信号記録装置では、録画時に一定期間映像信号の入力がなくなった場合、自動的に記録を停止するようにしたものがあった（例えば特許文献１）。
【０００３】
以下、従来の映像信号記録装置を図２を用いて説明する。
【０００４】
図２は、従来の映像信号記録装置の構成を示すブロック図である。
【０００５】
図２において、２０１は映像信号検出部、２０２は映像信号圧縮部、２０３は記録部、１０３は記録メディア、１０４は再生部、１０５は映像信号伸長部、２０４は制御部である。
【０００６】
以上のように構成された従来の映像信号記録装置について、その動作を説明する。
【０００７】
映像信号圧縮部２０２は、入力映像信号を所定の高能率符号化アルゴリズム（例えば、ＭＰＥＧ−２）を用いて圧縮し出力する。
【０００８】
記録部２０３は、映像信号圧縮部２０２の出力を記録メディア１０３に記録する。
【０００９】
再生部１０４は、記録メディア１０３内のデータを再生する。
【００１０】
映像信号伸長部１０５は、前記再生部１０４の出力を前記高能率符号化アルゴリズムの復号化アルゴリズムを用いて伸長する。
【００１１】
映像信号検出部２０１は上記入力映像信号の圧縮を行なうとともに、ハードウェアもしくはソフトウェアを用いて映像信号の有り無しを検出し、信号有無データを制御部２０４に知らせる。
【００１２】
映像信号検出部２０１がハードウェアで検出する場合には、同期分離回路と積分回路により映像信号の有無の論理を決め検出を行なう。
【００１３】
映像信号検出部２０１がソフトウェアで検出する場合には、信号無し、信号無しカウンタアップ、オーバーフロー、映像無し期間設定、信号無しカウンタの初期設定等の手段により検出を行なう。
【００１４】
検出結果は、例えば、映像信号が有る場合にはＬレベルを、無い場合にはＨレベルとした信号有無データにより制御部２０４に通知される。
【００１５】
制御部２０４は、信号有無データを利用し、一定期間信号の無いことを検出すると、録画中の場合には映像信号圧縮部２０２と記録部２０３に録画停止を録画停止命令により指令する。
【００１６】
映像信号圧縮部２０２は、記録部２０３が録画中に前記制御部２０４から録画停止命令が指令された場合には、圧縮処理を停止する。
【００１７】
記録部２０３は、録画中に前記制御部２０４から録画停止命令が指令された場合には、記録処理を停止する。
【００１８】
従来の映像信号記録装置においては、このように入力映像信号の有無を検出する映像信号検出部２０１を有し、その検出結果、映像信号無しと判断された場合には、録画を停止したりしていた。
【００１９】
【特許文献１】
特開平７−３３６６３１号公報
【００２０】
【発明が解決しようとする課題】
しかしながら、従来の映像信号記録装置では、記録部が記録できる信号であるか否かの判断ではなく、入力映像信号の有無だけで判断していたので、記録可能な信号であっても録画が停止していたし、信号有りとした場合にも記録部が記録できない信号であることもあった。
【００２１】
地上波テレビ放送は、気象などの電波状況により、短い期間、同期信号を失うことがある。ところが、映像信号記録装置が一度記録を停止すると再開までに数秒以上かかるために、入力映像信号の有無だけで記録の停止を判断した場合には、記録可能な映像信号が数秒間記録されない部分が発生することがある。場合によっては、それが記録すべき映像信号である場合も生じる。
【００２２】
本発明は、このような従来の問題点を解決するもので、記録可能な映像信号は所定の品質レベル以上であればすべて記録することのできる映像信号記録装置を提供することを目的とする。
【００２３】
【課題を解決するための手段】
本発明の映像信号記録装置は、入力映像信号を高能率符号化アルゴリズムを用いて圧縮する映像信号圧縮部と、映像信号圧縮部の出力を所定の記録メディアに記録する記録部と、記録メディアと、装置全体を制御する制御部を有した映像信号記録装置であって、映像信号圧縮部が入力映像信号の品質を、入力映像信号に含まれるフィールド同期信号およびライン同期信号の出現間隔を検出することにより判定し、品質が所定の基準以下になり、圧縮の継続が不能になった場合にそれを制御部に知らせ、入力映像信号の品質が所定の基準以下になった場合には、制御部が記録部に記録を停止する命令を出すようにしたものである。
【００２４】
これにより、所定の品質レベル以上の入力映像信号はすべて記録することが可能になる。
【００２５】
【発明の実施の形態】
以下に、本発明の映像信号記録装置の実施の形態を図を用いて説明する。
【００２６】
（実施の形態１）
図１は、本発明の一実施の形態の映像信号記録装置の構成を示すブロック図である。
【００２７】
図１において１０１は映像信号圧縮部、１０２は記録部、１０３は記録メディア、１０４は再生部、１０５は映像信号伸長部、１０６は制御部である。
【００２８】
以上のように構成された本実施の形態の映像信号記録装置について、その動作を説明する。
【００２９】
映像信号圧縮部１０１は、入力映像信号を所定の高能率符号化アルゴリズム（例えば、ＭＰＥＧ−２）を用いて圧縮し出力する。
【００３０】
また、録画中に映像信号圧縮部１０１は入力された映像信号の信号が記録できるものか否かを判定し、判定結果データを制御部１０６に知らせる。
【００３１】
判定結果は、例えば、記録できる場合にはＬレベルを、記録できない場合にはＨレベルとした判定結果データにより制御部１０６に通知される。
【００３２】
制御部１０６は、判定結果データを利用し、記録できないと判定された場合には記録部１０２に録画停止を録画停止指令により指令する。
【００３３】
記録部１０２は、映像信号圧縮部１０１の出力を記録メディア１０３に記録する。
【００３４】
ただし、録画中に前記制御部１０６から録画停止命令が指令された場合には、記録処理を停止する。
【００３５】
再生部１０４は、記録メディア１０３内のデータを再生する。
【００３６】
映像信号伸長部１０５は、前記再生部１０４の出力を前記高能率符号化アルゴリズムの復号化アルゴリズムを用いて伸長する。
【００３７】
映像信号圧縮部１０１が、入力映像信号を記録できるか否かを判断する場合、同期信号を有していない、同期信号を有しているが、同期信号の出現パターンが圧縮したストリームを生成できないものである、電圧レベルが所定のレベル以上である等の場合、自らの高能率符号化アルゴリズムで圧縮したストリームを作成できないと判断した場合に、記録できないと判断する。
【００３８】
同期信号の出現パターンが圧縮したストリームを生成できないとは、例えば、入力映像信号がフィールド周波数５９．９４Ｈｚ、フレーム当たりのライン数５２５本、フィールド当たりの有効ライン数２４０本の映像信号である場合、映像信号内のフィールドの切換え位置にあるフィールド同期信号であるフィールドフラグが５９．９４Ｈｚより常に早い周波数で発生している場合や、映像信号内のラインの切換え位置にあるライン同期信号がフィールド当たりの有効ライン数が常に２４０本以上である場合、またフィールド同期信号が所定の時間（例えば０．５秒間）検出できない場合などである。
【００３９】
なお、映像信号圧縮部１０１は、入力映像信号が、所定の同期信号を有してはいるが、映像信号に情報がない（レベルが一定の信号）場合にも、入力映像信号が記録すべき情報を有していないと判断し、制御部１０６に通知し、制御部１０６が記録部１０２に録画停止命令を指令し記録を止めても良い。
【００４０】
また、入力映像信号の状態が悪いと判断し、制御部１０６が記録部１０２に停止命令を出し記録を停止させた場合に、入力映像信号の状態が良化し、品質が所定の基準に戻った時点で、映像信号圧縮部１０１がそれを制御部１０６に知らせ、制御部１０６が記録部１０２に記録停止の解除を命令し、自動的に記録を再開させてもよい。
【００４１】
システム構成上、制御部１０６はホストＣＰＵであり、制御の役割はホストＣＰＵ上で動作しているソフトウェアが行なってもよい。また、制御部１０６からの録画停止命令は映像信号圧縮部１０１にも入力され、これを受け映像信号圧縮部１０１が圧縮動作を停止するという仕様でもよい。
【００４２】
また、逆に制御部１０６が映像信号圧縮部１０１や記録部１０２に必要に応じて、信号の状態を問い合わせる仕組みでも良い。
【００４３】
記録メディアは、ディスク、テープやＨＤＤでもよい。
【００４４】
【発明の効果】
本発明の映像信号記録装置は、映像信号圧縮部が入力映像信号の品質を判定することにより、装置として記録できない映像信号が入力された場合にのみ、記録を止めることが出来るようになる。つまり、装置として所定の品質レベル以上の入力映像信号はすべて記録することのできる映像信号記録装置を実現する。
【図面の簡単な説明】
【図１】本発明の一実施の形態の映像信号記録装置の構成を示すブロック図
【図２】従来の映像信号記録装置の構成を示すブロック図
【符号の説明】
１０１、２０２  映像信号圧縮部
１０２、２０３  記録部
１０３  記録メディア
１０４  再生部
１０５  映像信号伸長部
１０６、２０４  制御部
２０１  映像信号検出部
【図１】
2004200753.tif 000003
【図２】
2004200753.tif 000004